(57)【特許請求の範囲】
【請求項１】
所定の距離を隔てて対向配置された対向装置と光無線を用いて情報の送受信を行う光空間伝送装置であって、
主信号と補助信号とを合波することにより生成された光信号を前記対向装置から受信し電気信号に変換する変換部と、
前記電気信号から補助信号抽出用フィルタにより前記光信号の補助信号成分を抽出し、該補助信号成分の直流成分レベルを検出する直流成分レベル検出手段と、
前記直流成分レベルから現在の光信号の直流成分レベルが正常であるか否かを判断する直流成分レベル判断手段と、
前記電気信号から主信号抽出用フィルタにより前記光信号の主信号成分を抽出し、該主信号成分の振幅レベルを検出する交流成分レベル検出手段と、
前記振幅レベルから現在の主信号成分の振幅レベルが正常であるか否かを判断する交流成分レベル判断手段と、
前記電気信号からクロック成分を抽出するクロック成分抽出手段と、
該クロック成分抽出手段により前記クロック成分が抽出できたか否かの判断を行う同期判断手段と、
前記直流成分レベル判断手段、前記交流成分レベル判断手段、前記同期判断手段による判断情報を表示する表示手段と、を有することを特徴とする光空間伝送装置。
【請求項２】
時刻を知る手段を有し、前記直流成分レベル判断手段、前記交流成分レベル判断手段、前記同期判断手段の判断結果が変化したときは、変化した状態と変化した時刻とを保存する保存手段を有することを特徴とする請求項１に記載の光空間伝送装置。
【請求項３】
前記保存手段に保存された情報を外部端末に伝送する伝送手段を有することを特徴とする請求項２に記載の光空間伝送装置。
【発明の詳細な説明】
【０００１】
【発明の属する技術分野】
本発明は、遠隔地に対し光無線で情報伝達を行う光空間伝送装置に関するものである。
【０００２】
【従来の技術】
光空間伝送装置とは、送信側において送信信号を光信号に変調し、この光信号を受信側に向けて大気空間中を伝送し、受信側においては送信側からの光信号を復調することにより、情報信号の伝達を大気空間を介して行う装置である。
【０００３】
しかしながら、光空間伝送装置における光ビームはその伝送路である大気中において、雨、霧等による影響により減衰する等の影響を受け、伝送が不安となるため、光通信装置が正常に通信できているか否かを判断するための目安として、対向装置から送られている光を受信しているか否かを判断するために必要な光の直流成分レベルのみを表示する機器が広く知られている。
【０００４】
【発明が解決しようとする課題】
しかしながら、上述の光空間伝送装置における光ビームはその伝送路である大気中において、雨、霧等による影響により減衰する等の影響を受け、伝送が不安定である性質上、通信異常が発生すると、実際には光空間通信に異常が発生していなくても、光空間通信に異常が発生しているのではないかと疑問とされることが多い。更に、異常が発生するとその度にサービスマンを呼び、光無線通信に異常が発生したかを確かめる必要がある。
【０００５】
また、上述の光空間伝送装置においては、光の直流成分レベルしか表示していないため、それだけでは異常発生個所を判断できず、通信異常が発生した場合には、光空間通信が正常であるか否かを確認するために一旦通信を停止させて、光空間通信装置にエラーレート測定器等を接続し、エラーが発生しているか否かを確認する必要がある。
【０００６】
しかしながら、光空間伝送装置は２個所の遠隔地に設置されることが多く、上述したように異常個所を検出する場合には、双方のサービスマンが連絡を取り合い、異常個所を検出しなければならず、またエラーレート測定器等の特別な機材を使用する等、異常個所を検出するために多大な時間と特別な機材が必要である。しかし、この方法では異常発生毎に２人以上のサービスマンと、エラーレート測定器等の特別な機材とを必要とするため、サービスの対応に多大な負荷を要する。
【０００７】
また、この種の光空間伝送装置は２４時間使用し続ける場合が多く、迅速な復旧が求められるが、上述の方法では異常個所の検出に時間が掛かるため、復旧が遅れ光無線通信の稼働率を落とす原因となっている。
【０００８】
また、現時点では何が原因で通信異常が発生したのかを知る方法が無いため、サービスマンが異常状態を解決するために駆けつけた際に、通信が正常に復帰していると、異常現象の発生後に検証することが非常に困難になり、次の異常発生まで様子を見ることとなって、使用者に不安を与える原因となっている。更に、現場に行って初めて光空間通信装置の状態を把握できるため、それから対処方法を考えなければならず、これも対応が遅れる原因となっている。
【０００９】
本発明の目的は、上述の問題点を解消し、光空間通信で異常が発生した場合に、受信部において一目で異常の発生個所を検出することができ、また通信異常発生後に通信異常が発生した原因究明を行い易く、更には遠隔地から通信異常の状況を知り、その情報から現場に行かなくとも通信異常の原因究明を行うことのできる光空間伝送装置を提供することにある。
【００１０】
【課題を解決するための手段】
上記目的を達成するための本発明に係る光空間伝送装置は、所定の距離を隔てて対向配置された対向装置と光無線を用いて情報の送受信を行う光空間伝送装置であって、主信号と補助信号とを合波することにより生成された光信号を前記対向装置から受信し電気信号に変換する変換部と、前記電気信号から補助信号抽出用フィルタにより前記光信号の補助信号成分を抽出し、該補助信号成分の直流成分レベルを検出する直流成分レベル検出手段と、前記直流成分レベルから現在の光信号の直流成分レベルが正常であるか否かを判断する直流成分レベル判断手段と、前記電気信号から主信号抽出用フィルタにより前記光信号の主信号成分を抽出し、該主信号成分の振幅レベルを検出する交流成分レベル検出手段と、前記振幅レベルから現在の主信号成分の振幅レベルが正常であるか否かを判断する交流成分レベル判断手段と、前記電気信号からクロック成分を抽出するクロック成分抽出手段と、該クロック成分抽出手段により前記クロック成分が抽出できたか否かの判断を行う同期判断手段と、前記直流成分レベル判断手段、前記交流成分レベル判断手段、前記同期判断手段による判断情報を表示する表示手段と、を有することを特徴とするを特徴とする。
【００１４】
【発明の実施の形態】
本発明を図示の実施例に基づいて詳細に説明する。
図１は本実施例における光空間伝送装置の構成図を示しており、送信装置１と受信装置２から構成されている。送信装置１は対向する装置に主信号を送信する主信号入力部３、対向装置での光直流成分レベル検出用の補助信号を発生させる補助信号発生部４が設けられ、合波部５において接続されている。また、この合波部５は電気信号を光信号に変換する電気／光変換部６に接続されている。この電気／光変換部６は、レーザー駆動回路７とレーザーダイオード８で構成されており、レーザーダイオード８の出射方向にはレンズ９、１０、１１が配置されている。
【００１５】
レンズ１１の進行方向には受信装置２が設けられており、レンズ１１からの光束の入射方向にはレンズ１２、１３、１４、受信光を電気信号に変換する光／電気変換部１５が配列されている。光／電気変換部１５は受光素子１６と受光回路１７で構成され、受光回路１７の出力は増幅部１８に接続されている。増幅部１８の出力は補助信号抽出用フィルタ１９、主信号抽出用フィルタ２０、クロック抽出部２１、波形整形部２２に接続されている。
【００１６】
補助信号抽出用フィルタ１９の出力は補助信号検波部２３に接続され、主信号抽出用フィルタ２０の出力は主信号検波部２４に接続されている。そして、補助信号検波部２３、主信号検波部２４、クロック抽出部２１の出力はＣＰＵ２５に接続され、更にＣＰＵ２５の出力は表示部２６に接続されている。また、クロック抽出部２１の出力は波形整形部２２に接続され、更に波形整形部２２の出力は信号出力部２７に接続されている。
【００１７】
送信装置１における主信号入力部３に入力された主信号は、補助信号発生部４から発生した補助信号と合波部５において合波された後に、電気／光変換部６におけるレーザー駆動回路７に入力され、レーザーダイオード８を介して光信号に変換され、レーザーダイオード８から出力された光信号は、レンズ９、１０、１１を介して対向する受信装置２に出力される。更に、受信装置２のレンズ１２、１３、１４を介して、光／電気変換部１５における受光素子１６に入力され、受光回路１７において電気信号に変換され、増幅部１８に出力される。
【００１８】
増幅部１８において増幅された電気信号は、補助信号抽出用フィルタ１９において補助信号成分を抽出され、補助信号検波部２３に出力される。この補助信号検波部２３は入力された補助信号成分の振幅レベルを電圧に変換してＣＰＵ２５に出力する。また、補助信号発生部４で発生した補助信号レベルは一定に保持されているため、受信した光信号の直流成分レベルが増減するとその増減に比例して補助信号レベルも増減する。従って、補助信号レベルの増減を測定することにより、受信した光信号の直流成分レベルの増減を知ることができる。
【００１９】
また、増幅部１８で増幅された電気信号は、主信号抽出用フィルタ２０で主信号成分を抽出され、主信号検波部２４に出力される。この主信号検波部２４は入力された主信号の振幅レベルを電圧に変換してＣＰＵ２５に出力する。光信号中の交流成分は伝送するデータの信号成分のことであるため、受信した光信号の交流成分と伝送するデータ信号である主信号は等価である。
【００２０】
更に、増幅部１８で増幅された電気信号はクロック抽出部２１に出力され、クロック抽出部２１においてはクロックを抽出し、同期が取れたか否かの情報を電圧に変換してＣＰＵ２５に出力する。
【００２１】
ＣＰＵ２５は直流成分レベル、交流成分レベル、データ信号からクロック成分を抽出し同期が取れたか否かの情報を解析し、それぞれの状態、又はそれぞれの状態から得た異常発生個所の情報、又はその両方を表示部２６に表示する。
【００２２】
増幅部１８で増幅された電気信号及びクロック抽出部２１で抽出されたクロック信号は波形整形部２２に出力され、これらの信号を基に波形整形部２２はデータ信号を再生成し信号出力部２７に出力する。
【００２３】
図２はクロック抽出部２１の構成図を示しており、クロック抽出部２１は位相比較器３１、ＶＣＯ（電圧制御回路）３２、ループフィルタ３３から構成されている。送信装置１から送信された光信号を受信装置の光／電気変換部１５において変換した電気信号と、ＶＣＯ３２から出力されループフィルタ３３を通過したクロックの位相とを比較し、位相比較器３１はこの電気信号とクロックの位相のずれに合わせてＶＣＯ３２に出力する電圧を変動させる。ＶＣＯ３２は位相比較器３１から出力された電圧の変動に合わせてクロックの周波数を変動させる。ここで電気信号とクロックの位相が一致する、つまり同期が取れると位相比較器３１から出力される電圧は一定となる。従って、点Ａにおける電圧が一定になればデータ信号からクロック成分を抽出し同期が取れたことになる。
【００２４】
図３は異常個所の検出及び表示のシーケンスのフローチャート図であり、先ずステップ１において本シーケンスが開始されるとステップ２に移り、補助信号検波部２３において受信した光信号の直流成分レベルの状態を取得する。続いてステップ３に移り、主信号検波部２４において受信した光信号の交流成分レベルの状態を取得する。更に、ステップ４に移りクロック抽出部２１においてデータ信号からクロック成分を抽出し、同期が取れたか否かの状態の情報を取得する。
【００２５】
ステップ５において受信した光信号の直流成分レベルが正常か異常を判断する。例えば、受信した光信号の直流成分レベルが設定された閾値レベルよりも低く、異常な場合にはステップ６に移る。この状態は光空間通信上の異常が発生したと考えられるために、対向装置から光信号が出力されていない、又は対向装置の光信号出射方向が正しくない、又は受信装置の光信号入射方法が正しくない、又は光無線通信経路に遮蔽物がある等の異常が発生したことを表示部２６に表示する。
【００２６】
また、ステップ５において光の直流成分レベルが設定された閾値レベルよりも高く、正常と判断された場合にはステップ７に移り、受信した光信号の交流成分レベルが正常か異常を判断する。例えば、受信した光信号の交流成分レベルが設定された閾値レベルよりも低く、異常な場合にはステップ８に移る。この状態は光空間通信は正常であるが伝送する信号がないと判断できるために、対向装置に伝送データが入力されていない異常が発生したことを表示部２６に表示する。
【００２７】
また、ステップ７において光の交流成分レベルが規定された閾値レベルよりも高く、正常と判断された場合にはステップ９に移り、データ信号からクロック成分を抽出し、同期が取れたか否かを判断する。同期が取れずにデータの再生成が行えなかった場合にはステップ１０に移る。この状態は伝送するデータのクロック周波数に問題があると判断できるため、対向装置に入力された伝送データが正しくない、又は対向装置に入力された伝送データのデータ速度が正しくない異常が発生したことを表示部２６に表示する。
【００２８】
また、ステップ９においてデータ信号からクロック成分を抽出し、同期が取れてデータの再生成が行えた場合にはステップ１１に移り、データ伝送が正常に伝送されていることを表示部２６に表示し、次のステップ１２に移る。ステップ１２に移ると受信した光信号の直流成分レベルの情報を表示する。また、ステップ６、８、１０において異常表示した場合においてもステップ１２に移る。続いてステップ１３に移り、受信した光信号の交流成分レベルの情報を表示し、ステップ１４においてデータ信号からクロック成分を抽出し同期が取れてデータの再生成が行えたか否かの情報を表示し、ステップ２に戻り、以下に同じ処理を繰り返す。
【００２９】
図４は直流成分レベルの状態、交流成分レベルの状態、データ信号からクロック成分を抽出し同期が取れたか否かの状態が変化した際に、その発生時刻と変化情報を共にログ情報として保存するためのシステム構成図を示している。
【００３０】
直流成分レベルの状態、交流成分レベルの状態、データ信号からクロック成分を抽出し同期が取れたか否かの状態が変化を解析するＣＰＵ４１には直流成分レベル検波部４２、交流成分レベル検波部４３、クロック抽出部４４、時計４５の出力が接続されている。更に、ＣＰＵ４１には例えばフラッシュＲＯＭ、ＲＡＭ等から成るデータ保存部４６が接続されている。なお、時計４５はＣＰＵ４１に内蔵することもできる。
【００３１】
直流成分レベル検波部４２で検出された受信した光信号中の直流成分レベル情報はＣＰＵ４１に出力され、同様に交流成分レベル検波部４３で検出され受信した光信号の交流成分レベル情報、クロック抽出部４４で検出されたデータの再生成が行えたか否かの情報もＣＰＵ４１に出力される。ＣＰＵ４１は直流成分レベル、交流成分レベル、データ信号からクロック成分を抽出し、同期が行えたか否かの状態を解析し、直流成分レベル検波部４２、交流成分レベル検波部４３、クロック抽出部４４から各情報が変化した場合、つまり正常から異常、又は異常から正常に変化した場合に時計４５から現在時刻を読み出し、状態が変化した項目の情報と発生時刻をデータ保存部４６に保存する。
【００３２】
図５のログ情報保存シーケンスのフローチャート図を示している。先ず、ステップ２１において本シーケンスが開始されると、続いてステップ２２において直流成分レベル検波部４２が受信した光信号の直流成分レベルの情報を取得し、ステップ２３に移る。このステップ２３では、受信した光信号における直流成分レベルの状態の変化を判断する。状態が変化した場合、つまり正常状態から異常状態、又は異常状態から正常状態に変化した場合にはステップ２４に移り、時計４５から現在時刻を取得し、続いてステップ２５において現在時刻と受信した直流成分レベルの情報を保存しステップ２６に移る。また、ステップ２３において受信した光信号の直流成分レベルの状態が変化していないと判断された場合にはステップ２６に移る。
【００３３】
ステップ２６において、交流成分レベル検波部４３が受信した光信号の交流成分レベルの情報を取得し、ステップ２７に移る。このステップ２７では受信した光における交流成分レベルの状態の変化を判断する。状態が変化した場合、つまり正常状態から異常状態、又は異常状態から正常状態に変化した場合にはステップ２８に移り、時計４５から現在時刻を取得し、続いてステップ２９において現在時刻と受信した交流成分レベルの情報を保存し、ステップ３０に移る。また、ステップ２７において受信した光信号中の交流成分レベルの状態が変化していないと判断された場合にはステップ３０に移る。
【００３４】
ステップ３０においては、交流成分レベル検波部４３がデータ信号からクロック成分を抽出し同期が取れたか否かの情報を取得し、ステップ３１に移る。このステップ３１では、データ信号からクロック成分を抽出し同期が取れたか否かの状態の変化を判断する。状態が変化した場合、つまり正常状態から異常状態、又は異常状態から正常状態に変化した場合にはステップ３２に移り、時計４５から現在時刻を取得し、続いてステップ３３において現在時刻とデータ信号からクロック成分を抽出し同期が取れたか否かの状態を保存してステップ２２に戻り、以下にこのシーケンスを繰り返す。また、ステップ３１においてデータ信号からクロック成分を抽出し、同期が取れたか否かの状態が変化しないと判断された場合においてもステップ２２に戻り、以下にこのシーケンスを繰り返す。
【００３５】
図６は直流成分レベルの状態、交流成分レベルの状態、データ信号からクロック成分を抽出し同期が取れたか否かの情報を外部端末に伝送する機構の構成図を示しており、直流成分レベルの状態、交流成分レベルの状態、データ信号からクロック成分を抽出し同期が取れたか否かの情報を解析するＣＰＵ５１には、直流成分レベル検波部５２、交流成分レベル検波部５３、クロック抽出部５４、時計５５の出力が接続されている。更に、ＣＰＵ５１には例えばフラッシュＲＯＭ、ＲＡＭ等から成るデータ保存部５６及び通信ドライバ５７が接続されている。
【００３６】
また、通信ドライバ５７には通信回線５８を介して遠隔地に置かれた例えばパーソナルコンピュータ等から成る状態表示用の端末機５９が接続されている。また通信ドライバ５７と端末機５９間の通信回線には、ネットワーク又はＲＳ−２３２Ｃ等のローカル接続である。この時計５５はＣＰＵ５１に内蔵することもできる。
【００３７】
直流成分レベル検波部５２において検出された受信した光信号の直流成分レベル情報はＣＰＵ５１に出力され、同様に交流成分レベル検波部５３で検出された受信した光信号の交流成分レベル情報、クロック抽出部５４において検出されたデータの再生成が行えたか否かの情報もＣＰＵ５１に出力される。ＣＰＵ５１は直流成分レベル検波部５２、交流成分レベル検波部５３、クロック抽出部５４から各情報が変化した場合、つまり正常から異常、又は異常から正常に変化すると時計５５から現在時刻を読み出し、状態が変化した項目の情報と発生時刻をデータ保存部５６に保存する。
【００３８】
ＣＰＵ５１は直流成分レベル検波部５２、交流成分レベル検波部５３、クロック抽出部５４から各情報が変化したことを検知すると変化した項目の情報と発生時刻から所定のフォーマットに基づいてデータ列を作成し、作成したデータ列を通信ドライバ５７に送信する。データ列を受け取った通信ドライバ５７は、通信回線５８を介してＣＰＵ５１から受け取ったデータ列を端末機５９に送信する。
【００３９】
また、端末機５９の使用者は受信した光信号の直流成分レベルの状態、受信した光信号の交流成分レベルの状態、データ信号からクロック成分を抽出し同期が取れたか否かの情報及びデータ保存部５６に保存した情報の何れかの取得要求をする場合には、通信回線５８を介して所定のフォーマットに基づいた情報取得要求を通信ドライバ５７に送信する。通信ドライバ５７は端末機５９からの情報取得要求を受け取ると、ＣＰＵ５１にこの情報取得要求を送信する。
【００４０】
ＣＰＵ５１はこの情報取得要求を受信すると、受信した情報取得要求が受信した光信号の直流成分レベルの状態、受信した光信号の交流成分レベルの状態、データ信号からクロック成分を抽出し同期が取れたか否かの情報及びデータ保存部５６に保存した何れの情報かを識別する。受信した光信号の直流成分レベルの状態の場合には、直流成分レベル検波部５２から受信した光信号の直流成分レベルの情報を入手し、受信した光信号の交流成分レベルの状態の場合には、交流成分レベル検波部５３から受信した光信号の交流成分レベルの情報を入手し、データ信号からクロック成分を抽出し同期が取れたか否かの情報の場合はクロック抽出部５４からデータ信号中のクロック成分を抽出し同期が取れたか否かの情報を入手し、データ保存部５６に保存した情報の場合にはデータ保存部５６から保存した情報を入手して、入手した情報から所定のフォーマットに基きデータ列を作成し、この作成したデータ列を通信ドライバ５７に送信する。データ列を受け取った通信ドライバ５７は、通信回線５８を介してデータ列を端末機５９に送信する。
【００４１】
図７は状態変化時の通信シーケンスのフローチャート図を示す。先ず、ステップ４１において本シーケンスが開始されると、ステップ４２において、直流成分レベル検波部５２により受信した光信号の直流成分レベルの情報を取得しステップ４３に移る。ステップ４３に移ると受信した光信号の直流成分レベルの状態が変化した場合、つまり正常状態から異常状態、又は異常状態から正常状態に変化するとステップ４４に移り、時計５５から現在時刻を取得し、ステップ４５に移り現在時刻と受信した直流成分レベルの情報を端末機５９に送信しステップ４６に移る。
【００４２】
ステップ４３において、受信した光信号の直流成分レベルの状態が変化していないと判断された場合にはステップ４６に移る。このステップ４６においては直流成分レベル検波部５２により受信した光信号の交流成分レベルの情報を取得し、ステップ４７に移る。ステップ４７に移ると受信した光信号の交流成分レベルの状態が変化した場合、つまり正常状態から異常状態、又は異常状態から正常状態に変化するとステップ４８に移り、時計５５から現在時刻を取得しステップ４９に移り、現在時刻と受信した交流成分レベルの情報を端末機５９に送信し、ステップ５０に移る。
【００４３】
また、ステップ４７で受信した光信号の交流成分レベルの状態が変化していないと判断された場合はステップ５０に移る。ステップ５０では、クロック抽出部５４によりデータ信号からクロック成分を抽出し同期が取れたか否かの情報を取得してステップ５１に移り、クロック成分が抽出した同期が取れたか否かの状態の変化を判断する。クロック成分の同期の状態が変化した場合、つまり正常状態から異常状態、又は異常状態から正常状態に変化した場合にはステップ５２に移り、時計５５から現在時刻を取得し、ステップ５３の処理で現在時刻とデータ信号からクロック成分を抽出し同期が取れたか否かの状態を端末機５９に送信しステップ４２に戻り、以下このシーケンスを繰り返す。また、ステップ５１において、状態の変化がなかった場合においてもステップ４２に戻り、以下このシーケンスを繰り返す。
【００４４】
図８は端末機から情報取得要求を受信した際のシーケンスのフローチャート図である。ステップ６１において、端末機５９からの情報取得要求を受信するとステップ６２に移り、受信した情報取得要求が、受信した光信号の直流成分レベルの情報取得要求か否かを判断する。直流成分レベルの情報取得要求の場合にステップ６３に移り、受信した光信号の直流成分レベルの情報を取得し、ステップ６４においてステップ６３で取得した光信号の直流成分レベルの情報を端末機５９に送信しステップ６５に移る。また、ステップ６２において端末機５９から受信した情報取得要求が、受信した光信号の直流成分レベルの情報取得要求でない場合にはステップ６５に移る。
【００４５】
ステップ６５では端末機５９から受信した情報取得要求が、受信した光信号の交流成分レベルの情報取得要求か否かを判断する。交流成分レベルの情報取得要求の場合にはステップ６６に移り、受信した光信号の交流成分レベルの情報を取得し、ステップ６７においてステップ６６で取得した光信号の交流成分レベルの情報を端末機５９に送信しステップ６８に移る。また、ステップ６５において受信した情報取得要求が、受信した光信号の交流成分レベルの情報取得要求でない場合にはステップ６８に移る。
【００４６】
ステップ６８では端末機５９から受信した情報取得要求が、データ信号からクロックを抽出し同期が取れたか否かの情報取得要求か否かを判断する。同期が取れたか否かの情報取得要求の場合には、ステップ６９に移りデータ信号からクロックを抽出し同期が取れたか否かの情報を取得し、ステップ７０においてステップ６９で取得したデータ信号からクロックを抽出し同期が取れたか否かの情報を端末機５９に送信しステップ７１に移る。また、ステップ６８の処理で受信した情報取得要求が、データ信号からクロックを抽出し同期が取れたか否かの情報取得要求でない場合はステップ７１に移る。
【００４７】
ステップ７１では、端末機５９から受信した情報取得要求が保存したログ情報取得要求か否かを判断する。ログ情報取得要求の場合にはステップ７２に移り、保存したログ情報を取得し、ステップ７３に移りステップ７２で取得した保存したログ情報を端末機５９に送信しステップ７４に移り、本シーケンスを終了する。また、ステップ７１の処理で受信した情報取得要求が、保存したログ情報取得要求でない場合においてもステップ７４に移り、本シーケンスを終了する。
【００４８】
【発明の効果】
以上説明したように本発明に係る光空間伝送装置は、光空間伝送装置において、異常発生個所を迅速に特定することができ、またこの異常発生、正常復帰情報をログとして保存することにより、後から光空間通信間の通信異常の原因究明を行うことができる。更に、これらの情報を遠隔地に送ることにより、サービスマン、ユーザが光空間伝送装置から離れた場所から異常の原因究明を行うことができる。
【００４９】
ここで、対向装置から受信した光信号の直流成分レベルが異常の場合は、光空間通信で異常が発生したと判断できるため、対向装置から光信号が出力されていない、対向装置の光信号出射方向が正しくない、受信装置の光信号入射方向が正しくない、光無線通信経路に天候悪化を含む遮蔽物がある等の原因が考えられ、光空間無線上で異常が発生したことが分かる。
【００５０】
対向装置から受信した光信号の交流成分レベルが異常の場合は、対向装置に伝送データが入力されていないことが原因であると考えられ、伝送データを出力している装置間のインタフェ−スに異常が発生したことが分かる。
【００５１】
データ信号からクロック成分を抽出できず同期がとれなかった場合は、送られてくるデータのクロック周波数に問題があると考えられるために、対向装置に入力された伝送データが正しくない、又は対向装置に入力された伝送データのデータ速度が正しくないことが原因であると考えられ、対向装置に伝送データを出力している装置に異常が発生したことが分かる。これにより、使用者が異常個所が何処であるかを判断でき、不必要なサービスマンの呼び出しが軽減し、エラーレート測定器等の特別な器材の必要が無いためサービスマンの負荷が軽減される。また、一目で異常個所を特定できるため迅速な対応が実施でき、これにより異常発生から復旧までの時間を最小限に押さえることができる。
【００５２】
更に、上記の情報が変化したときにその情報を発生時刻と共に保存する。この機能により、何時どこで異常が発生したかを後で検証でき、異常原因の究明及び対策を迅速に行えるようになる。
【００５３】
また、上記情報及び前記保存した情報を外部端末に伝送する機能を有するので、この機能により受信装置のある所まで行かなくても遠隔地で通信異常の状態を知ることができ、サービスマン等が遠隔地から光空間通信装置の状況を知り、その情報から迅速に適切な対応を行うことができる。
【図面の簡単な説明】
【図１】光空間伝送装置の構成図である。
【図２】クロック抽出部の構成図である。
【図３】異常個所の検出及び表示のシーケンスのフローチャート図である。
【図４】ログ情報を保存するシステムの構成図である。
【図５】ログ情報保存シーケンスのフローチャート図である。
【図６】情報を外部端末に伝送する機構の構成図である。
【図７】状態変化時の通信シーケンスのフローチャート図である。
【図８】情報取得要求を受信した際のシーケンスのフローチャート図である。
【符号の説明】
１  送信装置
２  受信装置
３  主信号入力部
４  補助信号発生部
５  合波部
６  電気／光変換部
７  レーザー駆動回路
８  レーザーダイオード
９、１０、１１、１２、１３、１４  レンズ
１５  光／電気変換部
１６  受光素子
１７  受光回路
１８  増幅部
１９  補助信号抽出用フィルタ
２０  主信号抽出用フィルタ
２１  クロック抽出部
２２  波形整形部
２３  補助信号検波部
２４  主信号検波部
２５  ＣＰＵ
２６  表示部
２７  信号出力部
【図１】
0004402251.tif 000002
【図２】
0004402251.tif 000003
【図３】
0004402251.tif 000004
【図４】
0004402251.tif 000005
【図５】
0004402251.tif 000006
【図６】
0004402251.tif 000007
【図７】
0004402251.tif 000008
【図８】
0004402251.tif 000009